(57)【要約】【課題】止着タイプの紙おむつにおいて、止着テープが形成されている背側を上にし腹側を下に配置すること意識する必要がなく、また、着用者がうつ伏せになっても、抱きかかえる必要がなく、容易に装着できる止着タイプの紙おむつを提供する。【解決手段】紙おむつのフラップ部のトップシート１若しくはバックシート２にそれぞれ面ファスナーのオス材シート５を形成し、他方側の両側フラップ部のトップシート１若しくはバックシート２にそれぞれオス材シート５を形成することにより、一方側のオス材シート５が、他方側のバックシート２若しくはトップシート１を面ファスナーのメス材として、係止される第１の固定状態と、他方側のオス材シート５が、一方側のバックシート２若しくはトップシート１を面ファスナーのメス材として、係止される第２の固定状態とを取りうる。【選択図】図１
2004298499.tif 000002
【特許請求の範囲】
【請求項１】
トップシート、バックシート及びこれらに介在された吸収体とを備え、腹側と背側のそれぞれの両側部を有する止着タイプ紙おむつであって、
前記背側の両側部を前記腹側に持ち込み止着する第１の固定状態と、前記腹側の両側部を前記背側に持ち込み止着する第２の固定状態、とを選択しうる止着手段を備えた、
ことを特徴とする止着タイプ紙おむつ。
【請求項２】
前記第１の固定状態では、前記背側の両側部が、前記腹側の内面若しくは裏面に対して止着され、前記第２の固定状態では、前記腹側の両側部が前記背側の内面若しくは裏面に対して止着されるように構成されている、請求項１記載の止着タイプ紙おむつ。
【請求項３】
前記止着手段は、係止要素とこれと係脱自在の関係を有する被係止要素との組み合わせによる面ファスナーから形成されている、請求項１又は２記載の止着タイプ紙おむつ。
【請求項４】
前記係止要素は、前記紙おむつの背側若しくは腹側の一方側の両側部のフラップ部のトップシート若しくはバックシートにそれぞれ取付けられた第１の係止要素、及び他方側の両側フラップ部のトップシート若しくはバックシートにそれぞれ取付けられた第２の係止要素とから構成され、
第１の係止要素が、他方側のバックシート若しくはトップシートを前記被係止要素として、係止することにより、装着される第１の固定状態と、
第２の係止要素が、一方側のバックシート若しくはトップシートを前記被係止要素として、係止することにより、装着される第２の固定状態とを取りうる、請求項３記載の止着タイプ紙おむつ。
【請求項５】
前記係止要素は、；前記紙おむつの背側若しくは腹側の一方側の両側部のフラップ縁部に、それぞれ取付けられた基材シートの外方端部の内面に位置して基材シートに固定され、製品状態において基材シートの先端部が紙おむつの内面に折り重ねられて前記一方側のトップシートに予め係止され、装着時において前記基材シートの先端部が展開される第１の係止要素；、及び前記一方側の両側フラップ部のバックシートにそれぞれ取付けられた第２の係止要素とから構成され、
第１の係止要素が、他方側のバックシートを前記被係止要素として係止することにより、第１の固定状態となり、
第２の係止要素が、他方側のトップシートを前記被係止要素として係止することにより、第２の固定状態となる、請求項３記載の止着タイプ紙おむつ。
【請求項６】
前記係止要素は、；前記紙おむつの背側若しくは腹側の一方側の両側部のフラップ縁部に、それぞれ取付けられた基材シートの外方端部の内面に位置して基材シートに固定され、製品状態において基材シートの先端部が紙おむつの内面に折り重ねられて前記一方側のトップシートに予め係止され、装着時において前記基材シートの先端部が展開される第１の係止要素；、及び前記他方側の両側フラップ部のトップシート若しくはバックシートにそれぞれ取付けられた第２の係止要素とから構成され、
第１の係止要素が、他方側のバックシートを前記被係止要素として係止することにより、第１の固定状態となり、
第２の係止要素が、一方側のバックシート若しくはトップシートを前記被係止要素として係止することにより、第２の固定状態となる、請求項３記載の止着タイプ紙おむつ。
【請求項７】
前記係止要素は、前記紙おむつの背側及び腹側の両側部のフラップ縁部に、それぞれ取付けられた基材シートの外方端部の内面に位置しで基材シートに固定され、製品状態において基材シートの先端部が紙おむつの内面に折り重ねられてそれぞれの側のトップシートに予め係止され、装着時において前記基材シートの先端部が展開される、第１の係止要素及び第２の係止要素とから構成され、
第１の係止要素が、一方側のバックシートを前記被係止要素として係止することにより、第１の固定状態となり、
第２の係止要素が、他方側のバックシートを前記被係止要素として係止することにより、第２の固定状態となる、請求項３記載の止着タイプ紙おむつ。
【請求項８】
前記基材シートの先端部が、製品状態において紙おむつの裏面に折り重ねられて仮止めされ、装着時において前記基材シートの先端部が展開される、請求項５乃至７のいずれか１項記載の止着タイプ紙おむつ。
【請求項９】
前記基材シートが、伸縮性シートからなる、請求項５乃至８のいずれか１項記載の止着タイプ紙おむつ。
【請求項１０】
前記第２の係止要素を固定する基材シートの先端部が、製品状態において紙おむつの裏面に折り重ねられて仮止めされ、装着時において前記基材シートの先端部が展開される、請求項７記載の止着タイプ紙おむつ。
【請求項１１】
前記第２の基材シートが、伸縮性シートからなる、請求項７又は１０記載の止着タイプ紙おむつ。
【発明の詳細な説明】
【０００１】
【発明の属する技術分野】
本発明は、紙おむつに関し、特に、止着タイプの紙おむつに関する。
【０００２】
【従来の技術】
従来、止着タイプの紙おむつには、おむつの背側のフラップ部に粘着材やメカニカルファスナーのオス材を有する止着テープが形成され、腹側のバックシートには、粘着材やオス材を止着するためのフロントシートが形成されている（例えば、特許文献１参照）。
【０００３】
着用者に、この種の紙おむつを装着する際、おむつの内面（肌側）を表にして敷き、おむつを開き、止着テープが形成されている背側を上にし腹側を下に配置した状態で、着用者を抱え、臀部をこのおむつの背側の内面に載せる。
【０００４】
そして、図１７に示すように、着用者の股を開き、おむつの腹側８の内面を着用者に宛がいつつ、このおむつ腹側８に形成されたフロントシート１９を目掛けて、背側のフラップ部９や止着テープ１５を摘んでおむつの背側７を引張りながら、フロントシート１９と止着テープ１５とを結合し、紙おむつを装着する。
【０００５】
【特許文献１】
特開第２００１−７０３４０号（４頁、図１、図２）
【０００６】
【発明が解決しようとする課題】
しかしながら、着用者に紙おむつを装着する際、着用者の臀部をおむつの背側７の内面に載せ、おむつの腹側８の内面を着用者に宛がうときに、着用者が動いて引っくり返ってしまった場合（仰向けがうつ伏せになる）、おむつの背側７が着用者の臀部の上部にきてしまうため、うつ伏せになった状態の着用者を再度抱きかかえつつ、背側のフラップ部９に形成された止着テープ１５を、床面や布団等と着用者の間に挟まれてしまったおむつの腹側８に、まわし込んで結合し装着する必要があり、装着を行う者の手間や疲労は大きい。
【０００７】
また、装着を行う者は、おむつの内面を表にして敷いた状態で、止着テープ１５が形成されている背側７を上にし腹側８を下に配置することを、常に意識しなければならず、煩わしい。
【０００８】
そこで、本発明の主たる課題は、止着タイプの紙おむつにおいて、止着テープが形成されている背側を上にし腹側を下に配置すること意識する必要がなく、また、着用者がうつ伏せになっても、抱きかかえる必要がなく、容易に装着できる止着タイプ紙おむつを提供することにある。
【０００９】
【課題を解決するための手段】
上記課題を解決した本発明は、次のとおりである。
＜請求項１記載の発明＞
請求項１記載の発明は、トップシート、バックシート及びこれらに介在された吸収体とを備え、腹側と背側のそれぞれの両側部を有する止着タイプ紙おむつであって、前記背側の両側部を前記腹側に持ち込み止着する第１の固定状態と、前記腹側の両側部を前記背側に持ち込み止着する第２の固定状態、とを選択しうる止着手段を備えた、ことを特徴とする止着タイプ紙おむつである。
【００１０】
（作用効果）
請求項１に係る発明では、止着タイプの紙おむつの装着に際し、通常の、背側の両側部を腹側に持ち込み止着する固定状態のみならず、腹側の両側部を背側に持ち込み止着する固定状態をもとりうるように、止着手段をおむつに取り付けているので、背側を上にし腹側を下に配置すること意識する煩わしさがない。
【００１１】
また、着用者に紙おむつを装着する際、着用者の臀部をおむつの背側の内面に載せ、おむつの腹側を着用者にあてがうときに、着用者が動いて引っくり返ってしまった場合（仰向けがうつ伏せになる）でも、着用者の臀部におむつの背側を宛がいつつ、腹側の両側部を引張り、おむつの背側に持ち込めるため、着用者を抱きかかえる必要がなく、容易に装着でき、装着を行う者の手間や疲労は少ない。
【００１２】
＜請求項２記載の発明＞
請求項２記載の発明は、前記第１の固定状態では、前記背側の両側部が、前記腹側の内面若しくは裏面に対して止着され、前記第２の固定状態では、前記腹側の両側部が前記背側の内面若しくは裏面に対して止着されるように構成されている、請求項１記載の止着タイプ紙おむつである。
【００１３】
（作用効果）
請求項１に係る発明では、止着タイプの紙おむつの装着に際し、通常の、背側の両側部を腹側に持ち込み、腹側の内面若しくは裏面に対して止着する固定状態のみならず、腹側の両側部を背側に持ち込み、背側の内面若しくは裏面に対して止着する固定状態をもとりうるように、止着手段をおむつに取り付けているので、背側を上にし腹側を下に配置すること意識する煩わしさがない。
【００１４】
また、着用者に紙おむつを装着する際、着用者の臀部をおむつの背側の内面に載せ、おむつの腹側を着用者にあてがうときに、着用者が動いて引っくり返ってしまった場合（仰向けがうつ伏せになる）でも、着用者の臀部におむつの背側を宛がいつつ、腹側の両側部を引張り、おむつの背側に持ち込み、背側の内面若しくは裏面に対して止着するため、着用者を抱きかかえる必要がなく、容易に装着でき、装着を行う者の手間や疲労は少ない。
【００１５】
＜請求項３記載の発明＞
請求項３記載の発明は、前記止着手段は、係止要素とこれと係脱自在の関係を有する被係止要素との組み合わせによる面ファスナーから形成されている、請求項１又は２記載の止着タイプ紙おむつである。
【００１６】
（作用効果）
請求項３に係る発明では、上記請求項１及び２の発明が有する作用効果に加えて、止着手段が係止要素と被係止要素との組み合わせによる面ファスナーから形成されていることにより、繰り返し貼着を行っても、接着力の低下は見られない。
【００１７】
したがって、着用者に対する装着がうまくいかず、間違った場所に貼着にしてしまったとしても、再度装着を行うことができるので、装着容易性を向上させることができる。
【００１８】
なお、以下の本発明の説明において、「係止要素」とは、逆レ字状若しくはキノコ状等のフック（オス材）のことをいい、「被係止要素」とは逆Ｊ字状若しくはループ状等であって、「係止要素」と絡み合い、「係止要素」を係止することが可能な部材（メス材）をいう。要は、接着剤等のように、化学的結合を除き、かつ絡み合いにより機械的に着脱（剥離）自在となっているもの（一般に面ファスナーと呼ばれるもの）、であればよい。なお、メス材としては、不織布等の繊維も含まれるものとする。
【００１９】
＜請求項４記載の発明＞
請求項４記載の発明は、前記係止要素は、前記紙おむつの背側若しくは腹側の一方側の両側部のフラップ部のトップシート若しくはバックシートにそれぞれ取付けられた第１の係止要素、及び他方側の両側フラップ部のトップシート若しくはバックシートにそれぞれ取付けられた第２の係止要素とから構成され、第１の係止要素が、他方側のバックシート若しくはトップシートを前記被係止要素として、係止することにより、装着される第１の固定状態と、第２の係止要素が、一方側のバックシート若しくはトップシートを前記被係止要素として、係止することにより、装着される第２の固定状態とを取りうる、請求項３記載の止着タイプ紙おむつである。
【００２０】
（作用効果）
請求項４に係る発明では、着用者に紙おむつを装着する際、着用者の臀部をおむつの背側の内面に載せ、おむつの腹側を着用者に宛がい、トップシート若しくはバックシートに係止要素が形成された背側のフラップ部を引張り、おむつの腹側に持ち込み、腹側の不織布等からなるバックシート若しくはトップシートに止着する通常の固定状態と、着用者の臀部をおむつの腹側の内面に載せ、おむつの背側を着用者にあてがい、トップシート若しくはバックシートに係止要素が形成された腹側のフラップ部を引張り、おむつの背側に持ち込み、背側の不織布等からなるバックシートに止着する固定状態、とを選択することが可能なため、紙おむつの背側を上にし腹側を下に配置することを意識することなく、着用者に対して装着できる。
【００２１】
また、背側を上にし腹側を下に配置することを意識することなく、紙おむつの内面を表にして、着用者をうつ伏せにした状態で、着用者の下腹部をおむつの腹側（又は背側）の内面に載せ、おむつの背側（又は腹側）を着用者の臀部にあてがい、トップシート若しくはバックシートに係止要素が形成された腹側（又は背側）のフラップ部を引張り、おむつの背側（又は腹側）に持ち込み、背側（又は腹側）の不織布等からなるバックシート若しくはトップシートに止着することが可能である。
【００２２】
そのため、うつ伏せになった状態の着用者を再度抱きかかえつつ、背側のフラップ部に形成された係止要素を、床面や布団等と着用者の間に挟まれてしまったおむつの腹側に、まわし込んで結合し装着する必要がなく、装着を行う者の手間や疲労を軽減できる。
【００２３】
＜請求項５記載の発明＞
請求項５記載の発明は、前記係止要素は、；前記紙おむつの背側若しくは腹側の一方側の両側部のフラップ縁部に、それぞれ取付けられた基材シートの外方端部の内面に位置して基材シートに固定され、製品状態において基材シートの先端部が紙おむつの内面に折り重ねられて前記一方側のトップシートに予め係止され、装着時において前記基材シートの先端部が展開される第１の係止要素；、及び前記一方側の両側フラップ部のバックシートにそれぞれ取付けられた第２の係止要素とから構成され、第１の係止要素が、他方側のバックシートを前記被係止要素として係止することにより、第１の固定状態となり、第２の係止要素が、他方側のトップシートを前記被係止要素として係止することにより、第２の固定状態となる、請求項３記載の止着タイプ紙おむつである。
【００２４】
（作用効果）
請求項５に係る発明では、着用者に紙おむつを装着する際、着用者の臀部をおむつの背側の内面に載せ、おむつの腹側を着用者に宛がい、係止要素を有する基材シートや当該基材シートが形成された背側のフラップ部を引張り、おむつの腹側に持ち込み、腹側の不織布等からなるバックシートに止着する通常の固定状態と、着用者の臀部をおむつの腹側の内面に載せ、おむつの背側を着用者に宛がい、腹側のフラップを引張り、おむつの背側に持ち込み、不織布等からなる腹側のトップシートを、背側のバックシートに形成された係止要素に止着する固定状態、とを選択することが可能なため、紙おむつの背側を上にし腹側を下に配置することを意識することなく、着用者に対して装着できる。
【００２５】
また、例えば、紙おむつの内面を表にして、紙おむつの腹側を上にし背側を下に配置した場合、着用者をうつ伏せにした状態で、着用者の下腹部をおむつの腹側の内面に載せ、おむつの背側を着用者の臀部にあてがい、腹側のフラップ部を引張り、おむつの背側に持ち込み、不織布等からなる腹側のトップシートを、背側のバックシートに形成された係止要素に止着することが可能である。
【００２６】
そのため、うつ伏せになった状態の着用者を再度抱きかかえつつ、背側のフラップ部に形成された係止要素を、床面や布団等と着用者の間に挟まれてしまったおむつの腹側に、まわし込んで結合し装着する必要がなく、装着を行う者の手間や疲労を軽減できる。
【００２７】
さらに、第１の係止要素が紙おむつの内面に折り重ねられており、かつ第２の係止要素が紙おむつの裏面に取付けられているので、着用者の肌が第１及び第２の係止要素と直接触れることがないため、不快感等を醸し出すことはない。
【００２８】
＜請求項６記載の発明＞
請求項６記載の発明は、前記係止要素は、；前記紙おむつの背側若しくは腹側の一方側の両側部のフラップ縁部に、それぞれ取付けられた基材シートの外方端部の内面に位置して基材シートに固定され、製品状態において基材シートの先端部が紙おむつの内面に折り重ねられて前記一方側のトップシートに予め係止され、装着時において前記基材シートの先端部が展開される第１の係止要素；、及び前記他方側の両側フラップ部のトップシート若しくはバックシートにそれぞれ取付けられた第２の係止要素とから構成され、第１の係止要素が、他方側のバックシートを前記被係止要素として係止することにより、第１の固定状態となり、  第２の係止要素が、一方側のバックシート若しくはトップシートを前記被係止要素として係止することにより、第２の固定状態となる、請求項３記載の止着タイプ紙おむつである。
【００２９】
（作用効果）
請求項６に係る発明では、着用者に紙おむつを装着する際、着用者の臀部をおむつの背側の内面に載せ、おむつの腹側を着用者に宛がい、係止要素を有する基材シートや当該基材シートが形成された背側のフラップ部を引張り、おむつの腹側に持ち込み、腹側の不織布等からなるバックシートに止着する通常の固定状態と、着用者の臀部をおむつの腹側の内面に載せ、おむつの背側を着用者に宛がい、トップシート若しくはバックシートに係止要素が形成された腹側のフラップを引張り、おむつの背側に持ち込み、背側のバックシート若しくはトップシートに止着する固定状態、とを選択することが可能なため、紙おむつの背側を上にし腹側を下に配置することを意識することなく、着用者に対して装着できる。
【００３０】
また、例えば、紙おむつの内面を表にして、紙おむつの腹側を上にし背側を下に配置した場合、着用者をうつ伏せにした状態で、着用者の下腹部をおむつの腹側の内面に載せ、おむつの背側を着用者の臀部に宛がい、トップシート若しくはバックシートに係止要素が形成された腹側のフラップ部を引張り、おむつの背側に持ち込み、背側のバックシート若しくはトップシートに止着することが可能である。
【００３１】
そのため、うつ伏せになった状態の着用者を再度抱きかかえつつ、背側のフラップ部に形成された係止要素を、床面や布団等と着用者の間に挟まれてしまったおむつの腹側に、まわし込んで結合し装着する必要がなく、装着を行う者の手間や疲労を軽減できる。
【００３２】
さらに、第１の係止要素が紙おむつの内面に折り重ねられているので、着用者の肌が第１の係止要素と直接触れることがないため、不快感等を醸し出すことはない。加えて、第２の係止要素が紙おむつの裏面に取付けられている場合は、着用者の肌が第２の係止要素とも直接触れることがないため、不快感等を醸し出すことはない。
【００３３】
＜請求項７記載の発明＞
請求項７記載の発明は、前記係止要素は、前記紙おむつの背側及び腹側の両側部のフラップ縁部に、それぞれ取付けられた基材シートの外方端部の内面に位置しで基材シートに固定され、製品状態において基材シートの先端部が紙おむつの内面に折り重ねられてそれぞれの側のトップシートに予め係止され、装着時において前記基材シートの先端部が展開される、第１の係止要素及び第２の係止要素とから構成され、第１の係止要素が、一方側のバックシートを前記被係止要素として係止することにより、第１の固定状態となり、第２の係止要素が、他方側のバックシートを前記被係止要素として係止することにより、第２の固定状態となる、請求項３記載の止着タイプ紙おむつである。
【００３４】
（作用効果）
請求項７に係る発明では、着用者に紙おむつを装着する際、着用者の臀部をおむつの背側の内面に載せ、おむつの腹側を着用者に宛がい、係止要素を有する基材シートや当該基材シートが形成された背側のフラップ部を引張り、おむつの腹側に持ち込み、腹側の不織布等からなるバックシートに止着する通常の固定状態と、着用者の臀部をおむつの腹側の内面に載せ、おむつの背側を着用者にあてがい、係止要素を有する基材シートや当該基材シートが形成された腹側のフラップを引張り、おむつの背側に持ち込み、背側のバックシートに止着する固定状態、とを選択することが可能なため、紙おむつの背側を上にし腹側を下に配置することを意識することなく、着用者に対して装着できる。
【００３５】
また、例えば、紙おむつの内面を表にして、紙おむつの腹側を上にし背側を下に配置した場合、着用者をうつ伏せにした状態で、着用者の下腹部をおむつの腹側の内面に載せ、おむつの背側を着用者の臀部に宛がい、係止要素を有する基材シートや当該基材シートが形成された腹側のフラップ部を引張り、おむつの背側に持ち込み、背側のバックシートに止着することが可能である。
【００３６】
そのため、うつ伏せになった状態の着用者を再度抱きかかえつつ、背側のフラップ部に形成された係止要素を有する基材シートを、床面や布団等と着用者の間に挟まれてしまったおむつの腹側に、まわし込んで結合し装着する必要がなく、装着を行う者の手間や疲労を軽減できる。
【００３７】
さらに、第１の係止要素及び第２の係止要素とが紙おむつの内面に折り重ねられているので、着用者の肌が第１の係止要素及び第２の係止要素と直接触れることがないため、不快感等を醸し出すことはない。
【００３８】
＜請求項８記載の発明＞
請求項８記載の発明は、前記基材シートの先端部が、製品状態において紙おむつの裏面に折り重ねられて仮止めされ、装着時において前記基材シートの先端部が展開される、請求項５乃至７のいずれか１項記載の止着タイプ紙おむつである。
【００３９】
（作用効果）
請求項８に係る発明では、上記請求項５乃至７記載の発明が有する作用効果に加え、係止要素が紙おむつの裏面に折り重ねられて仮止めされているので、着用者の肌が係止要素と直接触れることがないため、不快感等を醸し出すことはない。
【００４０】
また、係止要素がトップシートに予め係止されることがないため、装着時に係止要素がトップシートから引き剥がされることはないので、トップシート表面を傷めることはない。
【００４１】
＜請求項９記載の発明＞
請求項９記載の発明は、前記基材シートが、伸縮性シートからなる、請求項５乃至８のいずれか１項記載の止着タイプ紙おむつである。
【００４２】
（作用効果）
請求項９に係る発明では、上記請求項５乃至８記載の発明が有する作用効果に加え、伸縮性シートに固定された係止要素により係止された場合、おむつが着用者へ装着された後は、被係止要素に係止した係止要素に対して伸縮性シートの弾性力により引張り方向の力がかかるため、被係止要素と密に絡み合い、はずれ難くなる。
【００４３】
＜請求項１０記載の発明＞
請求項１０記載の発明は、前記第２の係止要素を固定する基材シートの先端部が、製品状態において紙おむつの裏面に折り重ねられて仮止めされ、装着時において前記基材シートの先端部が展開される、請求項７記載の止着タイプ紙おむつである。
【００４４】
（作用効果）
請求項７に係る発明では、上記請求項７記載の発明が有する作用効果に加えて、第２の係止要素が、紙おむつの裏面に折り重ねられて仮止めされているので、着用者の肌が第２の係止要素と直接触れることがないため、不快感等を醸し出すことはない。
【００４５】
また、第２の係止要素がトップシートに予め係止されることがないため、装着時に第２の係止要素がトップシートから引き剥がされることはないので、トップシート表面を傷めることはない。
【００４６】
＜請求項１１記載の発明＞
請求項１１記載の発明は、前記第２の基材シートが、伸縮性シートからなる、請求項７又は１０記載の止着タイプ紙おむつである。
【００４７】
（作用効果）
請求項１１に係る発明では、上記請求項７又は１０記載の発明が有する作用効果に加えて、伸縮性シートに固定された係止要素により係止された場合、おむつが着用者へ装着された後は、被係止要素に係止した係止要素に対して伸縮性シートの弾性力により引張り方向の力がかかるため、被係止要素と密に絡み合い、はずれ難くなる。
【００４８】
【発明の実施の形態】
以下、本発明の実施の形態を説明する。
＜紙おむつ本体の構成＞
紙おむつ本体の構成について、紙おむつの内面側（肌に当たる面）の展開図を示した図１及び紙おむつの裏面側の展開図を示した図２に基づいて説明する。
紙おむつ本体は、内面（肌に当る面）側の不織布等からなる透液性のトップシート１と、ポリエチレンシート等からなる不透液性のシート（図示せず）と、この不透液性のシートにホットメルト接着剤等により固定され、紙おむつの裏面を構成する不織布等からなるバックシート２と、周囲部分をフラップ部として残してそれらの間に介在された綿状パルプ等からなる吸収体３とを基本構成要素としている。吸収体３に隣接して脚回り部分に１本または複数本の糸ゴム等からなる弾性伸縮部材１１が必要により設けられている。また、紙おむつの内面の長手方向には、バリヤーカフス４が必要により形成されている。このバリヤーカフス４には、糸ゴム等からなる弾性伸縮部材４ａが伸長下で固定されている。
【００４９】
なお、この種の紙おむつ本体は公知のものであり、上記に述べた構成以外のものであっても、本発明を適用できることは言うまでもない。
【００５０】
ここで、図１に示すように、紙おむつの股下部６を境として、紙おむつの背側７と腹側８が略対称な形状及び構成の配置となっている紙おむつの場合は、この紙おむつの装着に際し、通常の、背側のフラップ部９を腹側８の内面若しくは裏面に持ち込み止着する固定状態のみならず、腹側のフラップ部１０を背側の内面若しくは裏面に持ち込み止着する固定状態をもとりうるので、紙おむつの内面の背側７を上にし腹側８を下に配置すること意識する煩わしさがない。
【００５１】
また、止着手段として、面ファスナーを用いる場合には、オス材とメス材の組み合わせにおいて、確実に止着するためには、係合力として、ＭＤ方向の９０度剥離力では、５０〜５００ｇｆ／２５ｍｍが望ましく、ＭＤ方向のせん断力として５００〜８，０００ｇｆ／２５ｍｍが望ましい。
【００５２】
＜第１の実施の形態＞
本発明の第１の実施の形態について、図１〜図３に基づいて説明する。
第１の実施形態では、背側７のトップシート１に面ファスナーの一方の構成要素で、係止要素であるオス材５ａを有するオス材シート５がホットメルト接着剤等により固定されている。そして、腹側８のバックシート２にもオス材シート５がホットメルト接着剤等により固定されている。
【００５３】
ここで、オス材シート５の形状については、図１〜図３の示すような矩形形状に限られるわけでなく、略円形でも、その他の形状であってもよい。また、形成されるオス材シート５の個数としては、複数あってもよい。
【００５４】
また、面ファスナーの他方の構成要素で、被係止要素であるメス材についてであるが、トップシート１とバックシート２とが共に、不織布等からなっていることにより、特に、メス材シートを設ける必要はなく、トップシート１若しくはバックシート２の不織布等の繊維にオス材５ａを絡ませ係止して止着すればよい。したがって、紙おむつの装着の際には、トップシート１若しくはバックシート２の不織布等の繊維を目掛けて、オス材シート５を止着するようにすればよい。しかしながら、図示はしないが、メス材シート（又は、ニット等で形成されたメス材シートを、絵や文字が印刷されたフィルムの上に熱溶着により積層させた、いわゆるフロントターゲットテープ）をトップシート１及びバックシート２とは別個に形成し、これをトップシート１及びバックシート２にホットメルト接着剤等により固定してもよい。
【００５５】
紙おむつの装着についてであるが、着用者に紙おむつを装着する際、着用者の臀部をおむつの背側７の内面に載せ、おむつの腹側８の内面を着用者に宛がい、バックシート２にオス材シート５が形成された、背側のフラップ部９を引張り、おむつの腹側８に持ち込み、腹側８の不織布等からなるバックシート２に止着する通常の固定状態と、着用者の臀部をおむつの腹側７の内面に載せ、おむつの背側７の内面を着用者にあてがい、バックシート２にオス材シート５が形成された、腹側のフラップ部１０を引張り、おむつの背側７に持ち込み、背側７の不織布等からなるトップシート１に止着する固定状態、とを選択することが可能なため、紙おむつの内面の背側７を上にし腹側８を下に配置することを意識することなく、着用者に対して装着できる。
【００５６】
また、背側７を上にし腹側８を下に配置することを意識することなく、紙おむつの内面を表にして、着用者をうつ伏せにした状態で、着用者の下腹部をおむつの腹側８（又は背側７）の内面に載せ、おむつの背側７（又は腹側８）を着用者の臀部に宛がい、トップシート１若しくはバックシート２にオス材シート５が形成された腹側８（又は背側７）のフラップ部を引張り、おむつの背側７（又は腹側８）に持ち込み、背側７（又は腹側８）の不織布等からなるバックシート１若しくはトップシート２に止着することが可能である。
【００５７】
そのため、うつ伏せになった状態の着用者を再度抱きかかえつつ、背側のフラップ部９に形成されたオス材シート５を、床面や布団等と着用者の間に挟まれてしまったおむつの腹側８に、まわし込んで腹側８のトップシート１やバックシート２に結合し装着する必要がなく、装着を行う者の手間や疲労を軽減できる。
【００５８】
ここで、オス材シート５は、図３に示すように、紙おむつのトップシート１の背側７と腹側８に形成してもよい。この場合、紙おむつの装着については、バックシート２の背側７若しくは腹側８に止着することになる。また、図示はしないが、オス材シート５を紙おむつのバックシート２の背側７と腹側８に形成してもよい。この場合、紙おむつの装着については、トップシート１の背側７若しくは腹側８に止着することになる。
【００５９】
また、オス材シート５と略同形同面積の、基材シートの表面に不織布等を接着した図示はしないメス材シートを、製品状態で、予めオス材シート５に係止して取付けておき、装着時に、このメス材シートを取り剥がすようにすれば、装着前ではオス材シート５のオス材５ａが剥き出しの状態にならず、また装着した後でも、止着に際して使用しない方のオス材シート５のオス材５ａが剥き出しの状態にならないため、布団や装着を行う者の衣服に絡みつくことがない。特に、止着に際して使用しない方のオス材シート５が、トップシート１に形成されている場合、オス材シート５のオス材５ａが着用者の肌に直接触れることがなく、トップシート１と同材の不織布等からなる図示はしないメス材シートが着用者の肌に直接触れるため、着用者に不快感を募らせることはない。
【００６０】
さらに、止着手段としては、オス材とメス材からなる面ファスナーに換えて、粘着材と被粘着材の組み合わせでもよい。
【００６１】
＜第２の実施の形態＞
本発明の第２の実施の形態について、図４〜図８に基づいて説明する。
図５に示すように、係止要素であるオス材５ａを有するオス材シート５は、基材シート１２の外方端部の内面に位置して、基材シート１２に図示しないホットメルト接着剤や熱溶着等により固定されている。この基材シート１２の裏面には、基材シート１２と略同形同面積の不織布からなる裏面シート１３が、ホットメルト接着剤等による接着剤層１４ａを介して固定されている。そして、これらオス材シート５、基材シート１２及び裏面シート１３から止着テープ１５は構成されている。
【００６２】
この止着テープ１５は、背側のフラップ部９及び腹側のフラップ部１０のそれぞれの縁部に取り付けられているが、図５に示すように、トップシート１とバックシート２との間で、ホットメルト接着剤等による接着剤層１４ｂ、１４ｃを介して固定されている。しかしながら、止着テープの固定については、必ずしもトップシート１とバックシート２との間である必要はなく、トップシート１の紙おむつの内面側に固定してもよいし、バックシート２の紙おむつの裏面側に固定してもよい。
【００６３】
止着テープ１５は、図５の二点鎖線で示す矢印の方向に、すなわち、背側のフラップ部９及び腹側のフラップ部１０の内面に折り重ねが可能となっており、製品状態においては、基材シート１２の先端部が紙おむつの内面に折り重ねられて、トップシート１の不織布等の繊維に予め絡ませて係止され、装着時において基材シート１２の先端部が、二点鎖線で示す矢印の逆方向に展開されるようになっている。
【００６４】
そのため、背側７の止着テープ１５及び腹側８の止着テープ１５とが紙おむつの内面に折り重ねられているので、装着前では止着テープ１５に形成されたオス材シート５のオス材５ａが剥き出しの状態にならず、また装着した後でも、止着に際して使用しない方の止着テープ１５のオス材シート５のオス材５ａが剥き出しの状態にならないため、布団や装着を行う者の衣服に絡みつくことがない。また、止着に際して使用しない方の止着テープ１５のオス材シート５は、トップシート１に折り重ねられて係止されているので、オス材シート５のオス材５ａが着用者の肌に直接触れることがなく、トップシート１と同材の裏面シート１３が着用者の肌に直接触れるため、着用者に不快感を募らせることはない。
【００６５】
ここで、止着テープ１５の個数は、背側のフラップ部９と腹側のフラップ部１０に、それぞれ２つずつあるが、２つに限らず複数設けてもよい。
【００６６】
また、面ファスナーの他方の構成要素で、被係止要素であるメス材についてであるが、トップシート１とバックシート２とが共に、不織布等からなっていることにより、特に、メス材シートを設ける必要はなく、バックシート２の不織布等の繊維にオス材５ａを絡ませ係止して止着すればよい。したがって、紙おむつの装着の際には、バックシート２の不織布等の繊維を目掛けて、オス材シート５を止着するようにすればよい。しかしながら、図示はしないが、メス材シート（又は、ニット等で形成されたメス材シートを、絵や文字が印刷されたフィルムの上に熱溶着により積層させた、いわゆるフロントターゲットテープ）をバックシート２とは別個に形成し、これをバックシート２にホットメルト接着剤等により固定してもよい。
【００６７】
紙おむつの装着についてであるが、着用者に紙おむつを装着する際、着用者の臀部をおむつの背側７の内面に載せ、おむつの腹側８の内面を着用者に宛がい、背側７の止着テープ１５を展開し、この止着テープ１５や止着テープ１５が形成された背側のフラップ部９を引張り、おむつの腹側８に持ち込み、腹側８の不織布等からなるバックシート２に止着する通常の固定状態と、着用者の臀部をおむつの腹側７の内面に載せ、おむつの背側７の内面を着用者に宛がい、腹側８の止着テープ１５を展開し、この止着テープ１５や止着テープ１５が形成された腹側のフラップ部１０を引張り、おむつの背側７に持ち込み、背側７の不織布等からなるバックシート２に止着する固定状態、とを選択することが可能なため、紙おむつの内面の背側７を上にし腹側８を下に配置することを意識することなく、着用者に対して装着できる。
【００６８】
また、背側７を上にし腹側８を下に配置することを意識することなく、紙おむつの内面を表にして、着用者をうつ伏せにした状態で、着用者の下腹部をおむつの腹側８（又は背側７）の内面に載せ、おむつの背側７（又は腹側８）を着用者の臀部にあてがい、腹側８（又は背側７）の止着テープ１５やこの止着テープ１５が形成された腹側８（又は背側７）のフラップ部を引張り、おむつの背側７（又は腹側８）に持ち込み、背側７（又は腹側８）の不織布等からなるバックシート２に止着することが可能である。
【００６９】
そのため、うつ伏せになった状態の着用者を再度抱きかかえつつ、背側のフラップ部９に形成された止着テープ１５を、床面や布団等と着用者の間に挟まれてしまったおむつの腹側８に、まわし込んで腹側８のバックシート２やバックシート２に形成された図示しないメス材シートに結合し装着する必要がなく、装着を行う者の手間や疲労を軽減できる。
【００７０】
この第２の実施の形態の派生形を図６〜図８に示す。図６は、紙おむつの内面側（肌に当たる面）の展開図を示した図であり、図７は紙おむつの裏面側の展開図を示した図である。図８は、この断面図を示している。
【００７１】
図６〜図８に示すように、製品状態で、止着テープ１５のオス材シート５を有する面を紙おむつの裏面に折り重ね、止着テープ１５の裏面シート１３の面とバックシート２とを仮止めホットメルト接着剤等による仮止め接着剤層１６によって、仮止めすることも可能である。この場合前述したように、オス材シート５のオス材５ａが紙おむつの裏面に折り重ねられて仮止めされているので、着用者の肌がオス材５ａと直接触れることがなく、不快感等を醸し出すことはない。
【００７２】
また、オス材シート５のオス材５ａがトップシート１に予め係止されることがないため、装着時にオス材５ａがトップシートから引き剥がされることはないので、トップシート１の表面を傷めることはない。
【００７３】
さらに、止着テープ１５の他の構成としては、オス材とメス材からなる面ファスナーに換えて、粘着材と被粘着材の組み合わせでもよい。すなわち、基材シート１２の内面に図示しない粘着剤層を設けて、これをバックシート２に形成された、図示しない被粘着剤シートと止着することにより紙おむつの装着が可能となる。
【００７４】
＜第３の実施の形態＞
本発明の第３の実施の形態について、図９及び図１０に基づいて説明する。
第３の実施の形態は、前述した第２の実施の形態の派生形である。すなわち、第２の実施の形態の図５で説明した基材シート１２が、図９及び図１０に示すように、糸ゴム（材質としては、天然ゴムの他、スチレン−ブタジエン、ブタジエン、イソプレン等の合成ゴム等）、ポリオレフィン系等の伸縮性フィルム、発泡ウレタン等からなる弾性体を不織布シートで挟み込んだ伸縮性シート１７に置換されたものである。
【００７５】
図１０に示すように、係止要素であるオス材５ａを有するオス材シート５は、伸縮性シート１７の外方端部の内面に位置して、伸縮性シート１７に図示しないホットメルト接着剤や熱溶着等により固定されている。そして、これらオス材シート５及び伸縮性シート１７から止着テープ１８は構成されている。
【００７６】
この止着テープ１８は、背側のフラップ部９及び腹側のフラップ部１０のそれぞれの縁部に取り付けられているが、図１０に示すように、バックシート２の紙おむつの裏面側に、ホットメルト接着剤等による接着剤層１４ｄを介して固定されている。しかしながら、止着テープ１８の固定については、必ずしもバックシート２の紙おむつの裏面側である必要はなく、トップシート１の紙おむつの内面側に固定してもよいし、トップシート１とバックシート２との間に固定してもよい。
【００７７】
止着テープ１８は、図１０の二点鎖線で示す矢印の方向に、すなわち、背側のフラップ部９及び腹側のフラップ部１０の内面に折り重ねが可能となっており、製品状態においては、伸縮性シート１７の先端部が紙おむつの内面に折り重ねられて、トップシート１の不織布等の繊維に予め絡ませて係止され、装着時において伸縮性シート１７の先端部が、二点鎖線で示す矢印の逆方向に展開されるようになっている。
【００７８】
そのため、背側７の止着テープ１５及び腹側８の止着テープ１８とが紙おむつの内面に折り重ねられているので、装着前では止着テープ１８に形成されたオス材シート５のオス材５ａが剥き出しの状態にならず、また装着した後でも、止着に際して使用しない方の止着テープ１８のオス材シート５のオス材５ａが剥き出しの状態にならないため、布団や装着を行う者の衣服に絡みつくことがない。また、止着に際して使用しない方の止着テープ１８のオス材シート５は、トップシート１に折り重ねられて係止されているので、オス材シート５のオス材５ａが着用者の肌に直接触れることがなく、着用者に不快感を募らせることはない。
【００７９】
ここで、止着テープ１８の個数は、背側のフラップ部９と腹側のフラップ部１０に、それぞれ２つずつあるが、２つに限らず複数設けてもよい。
【００８０】
また、面ファスナーの他方の構成要素で、被係止要素であるメス材についてであるが、トップシート１とバックシート２とが共に、不織布等からなっていることにより、特に、メス材シートを設ける必要はなく、バックシート２の不織布等の繊維にオス材５ａを絡ませ係止して止着すればよい。したがって、紙おむつの装着の際には、バックシート２の不織布等の繊維を目掛けて、オス材シート５を止着するようにすればよい。しかしながら、図示はしないが、メス材シート（又は、ニット等で形成されたメス材シートを、絵や文字が印刷されたフィルムの上に熱溶着により積層させた、いわゆるフロントターゲットテープ）をバックシート２とは別個に形成し、これをバックシート２にホットメルト接着剤等により固定してもよい。
【００８１】
紙おむつの装着については、第２の実施の形態と同様なため、説明を省略する。
【００８２】
ここで、第３の実施の形態は、第２の実施の形態の作用効果に加えて、伸縮性シートを備えたに止着テープ１８に形成されたオス材シート５のオス材５ａより係止された場合、おむつが着用者へ装着された後は、バックシート２に係止したオス材５ａに対して伸縮性シート１７の弾性力により引張り方向の力がかかるため、不織布等からなるバックシート２の繊維と密に絡み合い、はずれ難くなる。
【００８３】
この第３の実施の形態の派生形についてであるが、第２の実施の形態の派生形と同様に、図示はしないが、製品状態で、止着テープ１８のオス材シート５を有する面を紙おむつの裏面に折り重ね、止着テープ１８の裏面シート１３の面とバックシート２とを仮止めホットメルト接着剤等による接着剤層１６によって、仮止めすることも可能である。この場合では、第２の実施の形態の派生形と同様の効果を得ることができる。
【００８４】
また、図１１に示すように、紙おむつの背側７又は腹側８の一方に第２の実施の形態で説明した止着テープ１５を取り付け、他方に止着テープ１８を取り付けることも可能である。
【００８５】
さらに、止着テープ１８の他の構成としては、オス材とメス材からなる面ファスナーに換えて、粘着材と被粘着材の組み合わせでもよい。すなわち、伸縮性シート１７の内面に図示しない粘着剤層を設けて、これをバックシート２に形成された、図示しない被粘着剤シートと止着することにより紙おむつの装着が可能となる。
【００８６】
＜第４の実施の形態＞
本発明の第４の実施の形態について、図１２〜図１６に基づいて説明する。
第４の実施の形態は、第１の実施の形態と第２の実施の形態を組み合わせたものである。
【００８７】
すなわち、図１２及び図１３では、図１４の断面図に示すように、第２の実施の形態で説明した止着テープ１５が、背側のフラップ部９のそれぞれの縁部に取り付けられている。背側７のバックシート２には、第１の実施の形態で説明した、面ファスナーの一方の構成要素で、係止要素であるオス材５ａを有するオス材シート５がホットメルト接着剤等により固定されている。
【００８８】
この場合の紙おむつの装着についてであるが、着用者に紙おむつを装着する際、着用者の臀部をおむつの背側７の内面に載せ、おむつの腹側８の内面を着用者に宛がい、背側７の止着テープ１５を展開し、この止着テープ１５や止着テープ１５が形成された背側のフラップ部９を引張り、おむつの腹側８に持ち込み、腹側８の不織布等からなるバックシート２に止着する通常の固定状態と、着用者の臀部をおむつの腹側７の内面に載せ、おむつの背側７の内面を着用者に宛がい、腹側のフラップ部１０を引張り、おむつの背側７に持ち込み、背側７のバックシート２に形成されたオス材シート５に止着する固定状態、とを選択することが可能なため、紙おむつの内面の背側７を上にし腹側８を下に配置することを意識することなく、着用者に対して装着できる。
【００８９】
また、例えば、紙おむつの内面を表にして、背側７を上にし腹側８を下に配置し、着用者をうつ伏せにした状態で、着用者の下腹部をおむつの腹側８の内面に載せ、おむつの背側７を着用者の臀部にあてがい腹側８のフラップ部を引張り、おむつの背側７に持ち込み、背側７のバックシート２に形成されたオス材シート５に腹側８のトップシート１を止着することが可能である。
【００９０】
そのため、うつ伏せになった状態の着用者を再度抱きかかえつつ、背側のフラップ部９に形成された止着テープ１５を、床面や布団等と着用者の間に挟まれてしまったおむつの腹側８に、まわし込んで腹側８に結合し装着する必要がなく、装着を行う者の手間や疲労を軽減できる。
【００９１】
なお、その他の構成、作用効果については、第１の実施の形態及び第２の実施の形態での説明と重複するので、省略する。
【００９２】
また、第４の実施の形態の派生形としては、図１５及び図１６に示すように、第２の実施の形態で説明した止着テープ１５を、背側のフラップ部９のそれぞれの縁部に取り付けると共に、腹側８のバックシート２に、第１の実施の形態で説明した、面ファスナーの一方の構成要素で、係止要素であるオス材５ａを有するオス材シート５を取り付けることも考えられる。
【００９３】
さらに図示はしないが、第２の実施の形態で説明した止着テープ１５を、背側のフラップ部９のそれぞれの縁部に取り付けると共に、腹側８のトップシート１に、第１の実施の形態で説明した、面ファスナーの一方の構成要素で、係止要素であるオス材５ａを有するオス材シート５を取り付けることも考えられる。
【００９４】
【発明の効果】
以上のとおり、本発明によれば、止着タイプの紙おむつにおいて、止着テープが形成されている背側を上にし腹側を下に配置すること意識する必要がなく、また、着用者がうつ伏せになっても、抱きかかえる必要がなく、容易に装着できる、等の利点がもたらされる。
【図面の簡単な説明】
【図１】本発明に係る第１の実施の形態の、紙おむつの内面側（肌に当たる面）の展開図を示したものである。
【図２】本発明に係る第１の実施の形態の、紙おむつの裏面側の展開図を示したものである。
【図３】本発明に係る第１の実施の形態の派生形態の、紙おむつの内面側（肌に当たる面）の展開図を示したものである。
【図４】本発明に係る第２の実施の形態の、紙おむつの内面側（肌に当たる面）の展開図を示したものである。
【図５】本発明に係る第２の実施の形態の、止着テープの横断面図を示したものである。
【図６】本発明に係る第２の実施の形態の派生形態の、紙おむつの内面側（肌に当たる面）の展開図を示したものである。
【図７】本発明に係る第２の実施の形態の派生形態の、紙おむつの裏面側の展開図を示したものである。
【図８】本発明に係る第２の実施の形態の派生形態の、止着テープを紙おむつ裏面に仮止めした横断面図を示したものである。
【図９】本発明に係る第３の実施の形態の、紙おむつの内面側（肌に当たる面）の展開図を示したものである。
【図１０】本発明に係る第３の実施の形態の、止着テープの横断面図を示したものである。
【図１１】本発明に係る第３の実施の形態の派生形態の、紙おむつの内面側（肌に当たる面）の展開図を示したものである。
【図１２】本発明に係る第４の実施の形態の、紙おむつの内面側（肌に当たる面）の展開図を示したものである。
【図１３】本発明に係る第４の実施の形態の、紙おむつの裏面側の展開図を示したものである。
【図１４】本発明に係る第４の実施の形態の、止着テープの横断面図を示したものである。
【図１５】本発明に係る第４の実施の形態の派生形態の、紙おむつの内面側（肌に当たる面）の展開図を示したものである。
【図１６】本発明に係る第４の実施の形態の派生形態の、紙おむつの裏面側の展開図を示したものである。
【図１７】止着タイプ紙おむつを着用者に装着する状態を説明する図である。
【符号の説明】
１…トップシート、２…バックシート、３…吸収体、４…バリヤーカフス、４ａ…弾性伸縮部材、５…オス材シート、５ａ…オス材、６…紙おむつ股下部、７…紙おむつ背側、８…紙おむつ腹側、９…背側のフラップ部、１０…腹側のフラップ部、１１…弾性伸縮部材、１２…基材シート、１３…裏面シート、１４ａ，１４ｂ，１４ｃ，１４ｄ，１４ｅ…接着剤層、１５…止着テープ、１６…仮止め接着剤層、１７…伸縮性シート、１８…止着テープ、１９…フロントシート。
【図１】
2004298499.tif 000003
【図２】
2004298499.tif 000004
【図３】
2004298499.tif 000005
【図４】
2004298499.tif 000006
【図５】
2004298499.tif 000007
【図６】
2004298499.tif 000008
【図７】
2004298499.tif 000009
【図８】
2004298499.tif 000010
【図９】
2004298499.tif 000011
【図１０】
2004298499.tif 000012
【図１１】
2004298499.tif 000013
【図１２】
2004298499.tif 000014
【図１３】
2004298499.tif 000015
【図１４】
2004298499.tif 000016
【図１５】
2004298499.tif 000017
【図１６】
2004298499.tif 000018
【図１７】
2004298499.tif 000019